(57)【要約】【課題】バルジ成形でペダルアームに固定されたボスの回動時において、ブッシュの面圧が均一である車両用操作ペダル装置を提供すること。【解決手段】車両用操作ペダル装置は１０は、ペダルアーム１４と、ペダルアーム１４にバルジ成形で固定されたボス１８と、ボス１８に圧入された第１カラー２２と、第１カラー２２の内周面に摺接するブッシュＢＵとを備える。【選択図】図２
2019028938.tif 000002
【特許請求の範囲】
【請求項１】
ペダルアームと、
前記ペダルアームにバルジ成形で固定されたボスと、
前記ボスに圧入された圧入カラーと、
前記圧入カラーの内周面に摺接するブッシュとを備えたことを特徴とする車両用操作ペダル装置。
【請求項２】
前記圧入カラーに嵌入され、該圧入カラーとの間で前記ブッシュを装着する嵌入カラーと、
前記嵌入カラーを挟持するサポート部材とを備えたことを特徴とする請求項１に記載の車両用操作ペダル装置。
【請求項３】
前記ボスの軸方向長さは、前記圧入カラーの軸方向長さより短いことを特徴とする請求項１又は請求項２に記載の車両用操作ペダル装置。
【発明の詳細な説明】
【技術分野】
【０００１】
本発明は、ペダルアームをボスとブッシュで回動可能に支持する車両用操作ペダル装置に関するものである。
【背景技術】
【０００２】
従来より、ペダルアームをボスとブッシュで回動可能に支持する車両用操作ペダル装置に関し、種々の技術が提案されている。
【０００３】
例えば、下記特許文献１に記載の車両用操作ペダルの支持構造では、操作ペダルはスリーブに溶接等の手段によって固着されており、このスリーブは２つのスペーサを介して支軸に回転自在に嵌合されている。この支軸の両端部にはカシメ部が形成されている。これにより、操作ペダルをブラケットに取り付けることができる。
【先行技術文献】
【特許文献】
【０００４】
【特許文献１】実開平１−１２３７２７号公報
【発明の概要】
【発明が解決しようとする課題】
【０００５】
しかしながら、溶接熱によってスリーブに歪みが生じることを回避するため、スリーブをバルジ成形することによって、操作ペダルにスリーブを固着させると、スリーブの内周面では、バルジ成形で形作られた凹部によって、スペーサに摺接する面積が不足するので、スペーサの面圧が均一にならない場合があった。
【０００６】
そこで、本発明は、上述した点を鑑みてなされたものであり、バルジ成形でペダルアームに固定されたボスの回動時において、ブッシュの面圧が均一である車両用操作ペダル装置を提供することを課題とする。
【課題を解決するための手段】
【０００７】
この課題を解決するためになされた請求項１に係る発明は、車両用操作ペダル装置であって、ペダルアームと、ペダルアームにバルジ成形で固定されたボスと、ボスに圧入された圧入カラーと、圧入カラーの内周面に摺接するブッシュとを備えたことを特徴とする。
【０００８】
請求項２に係る発明は、請求項１に記載の車両用操作ペダル装置であって、圧入カラーに嵌入され、圧入カラーとの間でブッシュを装着する嵌入カラーと、嵌入カラーを挟持するサポート部材とを備えたことを特徴とする。
【０００９】
請求項３に係る発明は、請求項１又は請求項２に記載の車両用操作ペダル装置であって、ボスの軸方向長さは、圧入カラーの軸方向長さより短いことを特徴とする。
【発明の効果】
【００１０】
請求項１に係る発明の車両用操作ペダル装置では、バルジ成形でペダルアームにボスが固定され、ボスに圧入カラーが圧入され、圧入カラーの内周面にブッシュが摺接する。このような構成によって、ペダルアーム、ボス、及び圧入カラーは、一体的に回動可能に支持される。圧入カラーの内周面は滑らかであることから、ペダルアーム、ボス、及び圧入カラーが一体的に回動する際は、圧入カラーの内周面に対してブッシュが一様に摺接する。そのため、請求項１に係る発明の車両用操作ペダル装置は、バルジ成形でペダルアームに固定されたボスの回動時において、ブッシュの面圧が均一である。
【００１１】
請求項２に係る発明の車両用操作ペダル装置では、嵌入カラーが圧入カラーに嵌入されることによって、嵌入カラーと圧入カラーとの間にブッシュが装着される。そのような状態にある嵌入カラーをサポート部材が挟持することによって、ペダルアーム、ボス、及び圧入カラーが一体的に回動可能に支持された箇所の長さが、嵌入カラーの軸方向で一定に保持される。
【００１２】
請求項３に係る発明の車両用操作ペダル装置では、ボスの軸方向長さが圧入カラーの軸方向長さより短いので、圧入カラーをボスに圧入する際に、圧入カラーとボスの相対位置を調整することによって、ペダルアームの位置をボス及び圧入カラーの軸方向で変更することが可能である。そのため、請求項３に係る発明の車両用操作ペダル装置は、車両搭載要件に対して柔軟に対応することが可能である。
【図面の簡単な説明】
【００１３】
【図１】本実施形態の車両用操作ペダル装置の構成が表された側面図である。
【図２】同車両用操作ペダル装置の支持部を図１の線Ａ−Ａで切断した断面が表された図である。
【図３】同車両用操作ペダル装置の構成が表された正面図であって、支持部については図１の線Ａ−Ａで切断した断面で表された図である。
【図４】同車両用操作ペダル装置の支持部の変更例を図１の線Ａ−Ａで切断した断面が表された図である。
【発明を実施するための形態】
【００１４】
以下、本発明に係る車両用操作ペダル装置について、具体化した本実施形態に基づき、図面を参照しつつ説明する。以下の説明に用いる各図面では、基本的構成の一部が省略されて描かれており、描かれた各部の寸法比等は必ずしも正確ではない。
【００１５】
各図において、前後方向、上下方向、及び左右方向は、各図に記載された通りである。但し、図１の側面図では、図の紙面の奥側が右方向であり、図の紙面の手前側が左方向である。図２及び図３では、各図の紙面の奥側が前方向であり、各図の紙面の手前側が後方向である。
【００１６】
（１）車両用操作ペダル装置の概要
図１に表されたように、本実施形態の車両用操作ペダル装置１０は、サポート部材１２及びペダルアーム１４等が備えられたものであって、不図示の車両に搭載されている。
【００１７】
サポート部材１２は、一対の側板等から構成されており、車両（例えば、ダッシュパネル等）に固定されている。サポート部材１２には、支持部１２Ａが設けられている。支持部１２Ａでは、ボルトＢ及びナットＮ等によって、ペダルアーム１４の上端部が回動可能に支持されている。尚、支持部１２Ａの詳細については、後述する。
【００１８】
ペダルアーム１４の下端部には、踏部１６が設けられている。ペダルアーム１４の上端部と下端部との中間においては、連結ピンＰ及びクレビスＣを介して、後述するオペレーティングロッドＲの先端部がペダルアーム１４に対して回動可能に支持されている。
【００１９】
（２）支持部の概要
図２に表されたように、本実施形態の車両用操作ペダル装置１０では、サポート部材１２を構成する一対の側板間において、支持部１２Ａが設けられている。支持部１２Ａでは、ボス１８の一部がバルジ成形されたバルジ成形部２０によって、ペダルアーム１４の上端部が挟まれている。これによって、ボス１８は、ペダルアーム１４の上端部を貫通した状態で固定されている。
【００２０】
バルジ成形部２０は、ボス１８の外周面ではボス１８の外側へ突出しており、ボス１８の内周面では凹んでいる。
【００２１】
ボス１８には、第１カラー２２が圧入されている。これによって、ペダルアーム１４、ボス１８、及び第１カラー２２は、一体である。第１カラー２２は、その内周面が滑らかなものが使用される。
【００２２】
ボス１８の両端からは、第１カラー２２が左右方向へ突き出ている。従って、第１カラー２２は、その左右方向（つまり、軸方向）の長さがボス１８よりも長い。つまり、ボス１８の軸方向長さは、第１カラー２２の軸方向長さよりも短い。
【００２３】
第１カラー２２には、その左右端から一対のブッシュＢＵが嵌装された状態で、第２カラー２４が嵌入されている。これによって、各ブッシュＢＵの円筒部が、第１カラー２２と第２カラー２４との間に備え付けられている。
【００２４】
サポート部材１２を構成する一対の側板には、支持穴１２Ｂが設けられている。各支持穴１２Ｂは、側面視で円形状であり、第２カラー２４を介して左右方向で連通した状態にある。このような状態において、ボルトＢがサポート部材１２の右側側板の支持穴１２Ｂからサポート部材１２の左側側板の支持穴１２Ｂまで通される。
【００２５】
サポート部材１２の右側側板では、ボルトＢの頭部が当接される。これに対して、サポート部材１２の左側側板では、ボルトＢの先端部が左方向へ突き出しており、その突き出し部分にナットＮがねじ込まれる。これによって、第２カラー２４の両端がサポート部材１２の両側板で挟まれるので、支持部１２Ａの左右方向の長さが一定に保持される。更に、第１カラー２２の左右端では、各ブッシュＢＵの円形フランジ部が、第１カラー２２とサポート部材１２の側板との間に備え付けられる。
【００２６】
このようにして、支持部１２Ａでは、ペダルアーム１４の上端部が回動可能に支持されており、ペダルアーム１４の下端部にある踏部１６に対する踏込み操作が行われると、第２カラー２４（及びボルトＢ）を中心にしてペダルアーム１４が回動する。
【００２７】
つまり、通常時において、車両の運転者がペダルアーム１４の踏部１６を前方側へ踏み込むことによって、ペダルアーム１４の踏部１６に対する踏込み操作が行われると、ペダルアーム１４の踏部１６が支持部１２Ａ（の第２カラー２４及びボルトＢ）を中心にして前方側へ円運動する。これに対して、ペダルアーム１４の踏部１６に対する踏込み操作が解除されると、不図示の付勢部材の付勢力によって、ペダルアーム１４の踏部１６が支持部１２Ａ（の第２カラー２４及びボルトＢ）を中心にして後方側へ円運動する。
【００２８】
このようにして、ペダルアーム１４の踏部１６が支持部１２Ａ（の第２カラー２４及びボルトＢ）を中心にして円運動すると、ペダルアーム１４の上端部と一体であるボス１８及び第１カラー２２もペダルアーム１４と一緒に円運動（つまり、回動）するので、第１カラー２２と第２カラー２４との間に備え付けられた各ブッシュＢＵの円筒部は、第１カラー２２の内周面に摺接する。
【００２９】
尚、オペレーティングロッドＲは、車両を構成するダッシュパネルの挿通穴（不図示）から後方側へ突き出しており、ペダルアーム１４の踏部１６に対する踏込み操作に伴って前方側へ変位すると、その踏込み操作時の操作力を、油圧回路又は電子回路等を通して、車両の運転状態を制御する制動装置又は制御装置に伝達する。
【００３０】
（３）まとめ
以上詳細に説明した通り、本実施形態の車両用操作ペダル装置１０では、ボス１８の一部がバルジ成形されたバルジ成形部２０でペダルアーム１４の上端部にボス１８が固定され、ボス１８に第１カラー２２が圧入され、第１カラー２２の内周面に各ブッシュＢＵの円筒部が摺接する。このような構成によって、ペダルアーム１４、ボス１８、及び第１カラー２２は、支持部１２Ａにおいて、一体的に回動可能に支持される。
【００３１】
第１カラー２２の内周面は滑らかであることから、ペダルアーム１４、ボス１８、及び第１カラー２２が一体的に回動する際は、第１カラー２２の内周面に対して各ブッシュＢＵの円筒部が一様に摺接する。そのため、本実施形態の車両用操作ペダル装置１０は、バルジ成形でペダルアーム１４に固定されたボス１８の回動時において、各ブッシュＢＵの面圧が均一である。
【００３２】
更に、本実施形態の車両用操作ペダル装置１０では、各ブッシュＢＵの面圧が均一であることから、第１カラー２２の左右端に嵌装される一対のブッシュＢＵには、円形フランジ部及び円筒部の外形寸法が同一の共通部品を使用することが可能である。
【００３３】
また、本実施形態の車両用操作ペダル装置１０では、支持部１２Ａにおいて、各ブッシュＢＵの円筒部が外接する曲面の内径精度を第１カラー２２の内周面で確保しているので、ボス１８の一部をバルジ成形する際の加工精度が緩和される。
【００３４】
本実施形態の車両用操作ペダル装置１０では、第２カラー２４が第１カラー２２に嵌入されることによって、第２カラー２４と第１カラー２２の間に各ブッシュＢＵの円筒部が備え付けられている。そのような状態にある第２カラー２４の両端は、サポート部材１２の両側板で挟まれている。これによって、支持部１２Ａの左右方向（つまり、第２カラー２４の軸方向）の長さは、一定に保持される。
【００３５】
本実施形態の車両用操作ペダル装置１０では、ボス１８の軸方向長さが第１カラー２２の軸方向長さより短いので、第１カラー２２をボス１８に圧入する際に、第１カラー２２とボス１８の相対位置を調整することによって、ペダルアーム１４の位置を左右方向（つまり、ボス１８及び第１カラー２２の軸方向）で変更することが可能である。そのため、本実施形態の車両用操作ペダル装置１０は、車両搭載要件に対して柔軟に対応することが可能である。
【００３６】
例えば、図３に表されたように、ペダルアーム１４の位置を支持部１２Ａの端に寄せることが可能である。そのような場合には、図３の二点鎖線で表された場合（つまり、ペダルアーム１４の位置が支持部１２Ａの中央にある場合）と比べると、ペダルアーム１４のオフセット量が減り、ペダルアーム１４に必要な強度が小さくなるので、ペダルアーム１４の板厚・幅などを小さくすることが可能である。
【００３７】
この点は、ボス１８の軸方向長さと第１カラー２２の軸方向長さとが、第２カラー２４の軸方向長さ（つまり、支持部１２Ａの左右方向の長さ）と略同一の場合でも、同様である。但し、そのような場合には、ボス１８にバルジ成形部２０を設ける際に、ボス１８におけるバルジ成形部２０の位置を調整することによって、ペダルアーム１４の位置を支持部１２Ａの左右方向（つまり、ボス１８及び第１カラー２２の軸方向）で変更する。
【００３８】
ちなみに、本実施形態において、第１カラー２２は、「圧入カラー」の一例である。第２カラー２４は、「嵌入カラー」の一例である。
【００３９】
（４）その他
尚、本発明は上記実施形態に限定されるものでなく、その趣旨を逸脱しない範囲で様々な変更が可能である。
例えば、第２カラー２４、ボルトＢ、及びナットＮに代え、図４に表されたように、カシメピン３０を使用してもよい。以下、そのような変更例について説明する。但し、以下の説明では、上記実施形態と実質的に共通する部分には同一の符号を付し、詳しい説明を省略する。
【００４０】
カシメピン３０は、所定の金属材料によって軸状に形成されており、大径部３２及び一対のカシメ変形部３４を有している。大径部３２は、カシメピン３０の軸方向中央部分を構成し、円柱状に形成されている。各カシメ変形部３４は、大径部３２の軸方向端面から突出形成されており、カシメピン３０の両端部を構成している。各カシメ変形部３４は、大径部３２の軸心と同軸を為している。各カシメ変形部３４の軸径は、大径部３２の軸径より小さい。
【００４１】
カシメピン３０の大径部３２は、第１カラー２２に嵌入される。これによって、各ブッシュＢＵの円筒部が、第１カラー２２とカシメピン３０の大径部３２との間に備え付けられる。更に、カシメピン３０の大径部３２の軸方向端面が、サポート部材１２の両側板に当接される。これに対して、カシメピン３０の各カシメ変形部３４は、サポート部材１２の各支持穴１２Ｂに通される。サポート部材１２の両側板では、各カシメ変形部３４の先端部が外側へ突き出しており、その突き出し部分がカシメ加工される。これによって、カシメピン３０は、その両端でサポート部材１２の両側板に固定されるので、支持部１２Ａの左右方向の長さが一定に保持される。
【００４２】
また、本実施形態では、ブレーキペダルとして本発明が適用されているが、車両で使用される各ペダル（例えば、アクセルペダル又はクラッチペダル等）として本発明が適用されてもよい。
【００４３】
また、本実施形態では、ペダルアーム１４に対して本発明が適用されているが、リンク式ブレーキペダルの中間レバー等に対して本発明が適用されてもよい。
【符号の説明】
【００４４】
１０    車両用操作ペダル装置
１２    サポート部材
１４    ペダルアーム
１８    ボス
２０    バルジ成形部
２２    第１カラー
２４    第２カラー
ＢＵ    ブッシュ
【図１】
2019028938.tif 000003
【図２】
2019028938.tif 000004
【図３】
2019028938.tif 000005
【図４】
2019028938.tif 000006